(57)【要約】  引出し側壁（１）であって、支持体（２）と、側壁形材（３）と、引出し背壁（５）を取り付けるための保持装置（４）とを含み、側壁形材（３）と保持装置（４）とはそれぞれ支持体（２）に取り付けられており、保持装置（４）は、少なくとも引出し背壁（５）が取り付けられていない状態で、支持体（２）の長手延在方向（６）に対して傾斜するように方向付けられている。
2021512686.tif 000002
【特許請求の範囲】
【請求項１】
引出し側壁（１）であって、支持体（２）と、側壁形材（３）と、引出し背壁（５）を取り付けるための保持装置（４）とを含み、前記側壁形材（３）と前記保持装置（４）とがそれぞれ前記支持体（２）に取り付けられている引出し側壁（１）において、
前記保持装置（４）は、少なくとも前記引出し背壁（５）が取り付けられていない状態で、前記支持体（２）の長手延在方向（６）に対して傾斜するように方向付けられていることを特徴とする、引出し側壁（１）。
【請求項２】
前記保持装置（４）は、少なくとも前記引出し背壁（５）が取り付けられていない状態では、前記支持体（２）の長手延在方向（６）に対して、９０°よりも小さい角度（７）を、好適には８５°よりも大きく９０°よりも小さい角度（７）を、特に好適には、約８９．５°の角度（７）を、有している、請求項１記載の引出し側壁（１）。
【請求項３】
前記側壁形材（３）は、前記引出し背壁（５）を支持可能な少なくとも１つの当接部（８）を有している、請求項１または２記載の引出し側壁（１）。
【請求項４】
前記少なくとも１つの当接部（８）は、
前記支持体（２）の長手延在方向（６）に対して垂直に方向付けられている、かつ／または
第１の領域（９）と第２の領域（１０）とを有しており、前記第１の領域（９）は、前記第２の領域（１０）よりも、前記支持体（２）に対して小さい距離を有しており、前記引出し背壁（５）は、前記保持装置（４）に取り付けられた状態で、少なくとも前記当接部（８）の前記第２の領域（１０）に当接しており、好適には、前記引出し背壁（５）は、前記第１の領域（９）に対してギャップ（１１）によって離間されている、
請求項３記載の引出し側壁（１）。
【請求項５】
前記保持装置（４）は、実質的に少なくとも１種のプラスチックから成っており、かつ／または前記支持体（２）に固定するための少なくとも１つの保持装置接合面（１５）を有している、請求項１から４までのいずれか１項記載の引出し側壁（１）。
【請求項６】
前記保持装置（４）に前記引出し背壁（５）を、好適には取り外し可能に取り付けるための少なくとも１つの取付個所（１２）が設けられており、好適には、前記少なくとも１つの取付個所（１２）は、前記保持装置（４）に配置された、係止接続部の第１の部分（１３）を含み、前記第１の部分は、前記第１の部分（１３）と協働する、前記引出し背壁（５）に配置された、前記係止接続部の第２の部分（１４）と接続関係にある、請求項１から５までのいずれか１項記載の引出し側壁（１）。
【請求項７】
前記保持装置（４）を前記支持体（２）に固定する固定装置（１６）が設けられている、請求項１から６までのいずれか１項記載の引出し側壁（１）。
【請求項８】
前記固定装置（１６）は、
前記支持体（２）に溶接されている、かつ／または
実質的に少なくとも１種の金属材料から成っている、かつ／または
前記保持装置（４）を前記固定装置（１６）に接続するための少なくとも１つの固定装置接合面（１７）を有しており、前記少なくとも１つの固定装置接合面（１７）は、前記支持体（２）の前記長手延在方向（６）に対して９０°の角度（１８）を有している、
請求項７記載の引出し側壁（１）。
【請求項９】
前記保持装置（４）は、少なくとも所定の領域で、前記側壁形材（３）の内側に配置されている、請求項１から８までのいずれか１項記載の引出し側壁（１）。
【請求項１０】
請求項１から９までのいずれか１項記載の少なくとも１つの引出し側壁（１）と、保持装置（４）に取り付けられている引出し背壁（５）と、から成る装置（１９）。
【請求項１１】
前記保持装置（４）は、前記引出し背壁（５）が取り付けられた状態では、前記引出し背壁（５）が取り付けられていない状態よりも、前記支持体（２）の長手延在方向（６）に対して大きな角度（２０）を有している、請求項１０記載の装置（１９）。
【発明の詳細な説明】
【技術分野】
【０００１】
本発明は、引出し側壁であって、支持体と、側壁形材と、引出し背壁を取り付けるための保持装置とを含み、この場合、側壁形材と保持装置とはそれぞれ支持体に取り付けられている引出し側壁に関する。本発明はさらに、少なくとも１つのこのような引出し側壁と、保持装置に取り付けられている引出し背壁とから成る装置に関する。
【０００２】
このような引出し側壁は、引出し背壁と組み合わせた状態でも、従来技術により十分に公知である。
【０００３】
とりわけ、構成高さが大きい場合に生じる問題は、引出し側壁と引出し背壁との接続領域にギャップ（隙間）が生じることであり、このようなギャップは、審美的な理由からエンドユーザには煩わしいものと感じられ、これは、支持体に対してより上方にギャップが配置されるほど一層煩わしいと感じられる。
【０００４】
本発明の課題は、これらの問題点を少なくとも部分的に解消し、従来技術に対して改善された引出し側壁、もしくはこのように改善された引出し側壁を備えた装置を提供することである。
【０００５】
この課題は、独立請求項１および１０に記載の特徴により解決される。
【０００６】
すなわち本発明によれば、引出し側壁において、保持装置は少なくとも引出し背壁が取り付けられていない状態で、支持体の長手延在方向に対して傾斜するように方向付けられている。
【０００７】
このような措置により、保持装置に取り付けられた引出し背壁は、引出し側壁に関して、予荷重がかけられており、これにより、引出し背壁が、少なくとも、支持体から間隔を置いて位置する上方の接続領域で、ギャップなく引出し側壁に当接することが保証される。
【０００８】
保持装置は、少なくとも引出し背壁が取り付けられていない状態で、支持体の長手延在方向に対して、９０°よりも小さい角度を、好適には８５°よりも大きく９０°よりも小さい角度を、特に好適には、約８９．５°の角度を、有していると有利であることが明らかとなった。
【０００９】
さらに、側壁形材が、引出し背壁を支持可能な少なくとも１つの当接部を有していると好適であることがわかった。この場合、少なくとも１つの当接部は、支持体の長手延在方向に対して垂直に方向付けられている、かつ／または第１の領域と第２の領域とを有しており、第１の領域は、第２の領域よりも、支持体に対して小さい距離を有しており、引出し背壁は、保持装置に取り付けられた状態で、少なくとも当接部の第２の領域に当接しており、好適には、引出し背壁は、第１の領域に対してギャップによって離間されていてよい。望ましい場合は、引出し背壁は、全高さにわたって遊びなく引出し側壁に当接するが、構成高さが大きい場合は、第１の領域に僅かなギャップが生じることを必ずしも回避できない。しかしながらこのことは、第２の領域におけるギャップと比較すると容認可能である。
【００１０】
本発明のさらなる好適な実施形態は、従属請求項に規定されている。
【００１１】
少なくとも１つの本発明による引出し側壁と、保持装置に取り付けられている引出し背壁とから成る装置では、特に好適な実施形態によれば、保持装置は、引出し背壁が取り付けられた状態で、引出し背壁が取り付けられていない状態よりも、支持体の長手延在方向に対して大きな角度を有していてよい。
【００１２】
本発明のさらなる詳細および利点を、図面を参照して図面を説明しながら以下に詳しく説明する。
【図面の簡単な説明】
【００１３】
【図１】引出し側壁と引出し背壁とから成る装置の一部を示す斜視図である。
【図２ａ】引出し背壁と、支持体と、保持装置とから成る装置を、接合されていない状態で示す概略的な側面図である。
【図２ｂ】保持装置が支持体に取り付けられている状態で、図２ａの装置を示す図である。
【図２ｃ】さらに引出し背壁が保持装置に取り付けられている状態で、図２ｂの装置を示す図である。
【図２ｄ】さらに側壁形材が支持体に配置されている状態で、図２ｃの装置を示す図である。
【図３ａ】支持体と、引出し前板を固定するための固定装置とから成る装置を示す側面図である。
【図３ｂ】さらに保持装置が支持体に取り付けられている状態で、図３ａの装置を示す図である。
【図４】保持装置と固定装置とを、接合されていない状態で示す斜視図である。
【図５】さらに側壁形材が支持体に配置されている状態で、引出し背壁の領域の図３ｂの装置の一部を示す図である。
【図６】さらに引出し背壁の背壁金具が保持装置に取り付けられている状態で、図５の一部を示す図である。
【００１４】
図１には、引出し側壁１と、引出し背壁５とから成る装置１９の一部が、この装置１９によって構成される引出しの引出し内部から見た図で示されている。
【００１５】
引出し側壁１は、支持体２と、側壁形材３と、引出し背壁５を取り付けるための保持装置４とを含み、この場合、側壁形材３と保持装置４とはそれぞれ支持体２に取り付けられている（以下の図面も参照）。
【００１６】
図示した状態では、引出し背壁５は保持装置４に取り付けられている。
【００１７】
側壁形材３は、当接部８を有しており、この当接部に引出し背壁５が支持されている。当接部８は、支持体２の長手延在方向６に対して垂直に方向付けられている。当接部８は、引出し側壁１の、引出し背壁５に面した端面であって、側壁形材３に配置されている。
【００１８】
当接部８は、第１の領域９と第２の領域１０とを有しており、第１の領域９は、第２の領域１０よりも、支持体２に対して小さい距離を有しており、引出し背壁５は、保持装置４に取り付けられた状態で、少なくとも当接部８の第２の領域１０に当接している。同時に、引出し背壁５は、実施形態によっては、第１の領域９に対してギャップ１１を介して離間されていてよく（図６参照）、理想的には引出し背壁５は、第１の領域でもギャップなしに、側壁形材３の当接部８に当接している。
【００１９】
側壁形材３は、凹部２４を有しており、この凹部には、引出し背壁５が、保持装置４に取り付けられた状態で所定の領域で配置されている。
【００２０】
側壁形材３は、操作エレメント２１のための開口を有しており、この場合、操作エレメント２１は、引出しの両側に取付け可能な、または取り付けられた引き出しガイドに対する引出しの傾きを調節するための装置に連結されている。
【００２１】
引出し側壁１および引出し背壁５は、引出し底面のためにそれぞれ１つの載置ウェブ（脚片）２２もしくは２３を有している。
【００２２】
支持体２は、所定の領域で横断面が「Ｕ字型」に形成されているレール状の形材であってよい。
【００２３】
図２ａには、引出し背壁５と、支持体２と、保持装置４とから成る装置が、接合されていない状態で示されている。
【００２４】
保持装置４は、係止接続部の第１の部分１３を有しており、この第１の部分は、この第１の部分１３と協働する、引出し背壁５に配置された、係止接続部の第２の部分１４と接続関係にある。第１の部分１３と第２の部分１４とは共に、引出し背壁５を保持装置４に取り外し可能に取り付けるための取付個所１２を形成している。
【００２５】
保持装置４は、支持体２に取り付けるための保持装置接合面１５を有している。
【００２６】
保持装置４は実質的にプラスチックから成っている。
【００２７】
保持装置４を支持体２に固定することができる固定装置１６が設けられている。固定装置１６は、支持体２に溶接されている。固定装置１６は実質的に金属材料から成っている。
【００２８】
固定装置１６は、保持装置４を固定装置１６に接続するための固定装置接合面１７を有しており、少なくとも１つの固定装置接合面１７は、支持体２の長手延在方向６に対して９０°の角度１８を有している。好適には、固定装置１６全体が、支持体２の長手延在方向６に対して９０°の角度１８を有している。
【００２９】
固定装置１６を介して行う間接的な固定の代わりに、保持装置４を直接的に支持体２に固定することもできる。この場合、固定装置１６は設けられていない。
【００３０】
図２ｂには、図２ａと関連して説明される装置が示されており、この場合、保持装置４は、固定装置１６を介して支持体２に固定されている。
【００３１】
保持装置４は、少なくとも引出し背壁５が取り付けられていない状態で、支持体２の長手延在方向６に対して傾斜するように方向付けられている。この場合、保持装置４は、支持体２の長手延在方向６に対して約８９．５°の角度７を有している。これは、保持装置４が、垂直の位置から、支持体２の方向で僅かに傾けられていることを意味する。
【００３２】
保持装置４のこのような傾斜位置は、支持体２に保持装置４が直接固定される場合でも得られる。
【００３３】
図２ｃには、図２ａおよび図２ｂと関連して説明される装置が示されており、この場合、付加的に、引出し背壁５は保持装置４に、取付個所１２を介して取り付けられている。引出し背壁５は、保持装置４に対して平行に方向付けられている。
【００３４】
引出し側壁１の側壁形材３の当接部８の位置３５は破線で示されている。図示されたように、引出し背壁５は、上方領域１０で、側壁形材３内に突入している。しかしながらこれは、単に理論上の組込み状態に過ぎなく、現実には、このような状態は、側壁形材３の存在により生じない。
【００３５】
むしろ、引出し背壁５は、図２ｄと比較して明らかであるように、側壁形材３との当接により変位していなければならない。この場合、引出し背壁５は実質的に、側壁形材３の当接部８に対して平行に向けられている、または少なくとも引出し背壁５の理論上の傾斜位置は明らかに減じられている。このような位置変更のために必要な遊びは、保持装置４と、固定装置１６と、支持体２とによって提供される。保持装置４は、引出し背壁５を取付けた状態では、引出し背壁５が取り付けられていない状態よりも、支持体２の長手延在方向６に対して大きな角度２０を有している。
【００３６】
結果として、引出し背壁５は、保持装置４に取り付けられた状態で、当接部８の少なくとも第２の領域１０で、理想的には第１の領域９でも、ギャップなしに当接する。これにより、引出し背壁５と引出し側壁１との間の接続部の領域で、審美的に好ましい引出しの外観イメージが保証される。
【００３７】
図３ａに示された支持体２には、保持装置４を支持体２に固定することができる固定装置１６が配置されている。固定装置１６は、支持体２の長手延在方向６に対して９０°の角度１８を有している。
【００３８】
固定装置１６は、支持体２の、引出し背壁５に面した後方の領域に配置されている。支持体２の、引出し前板に面した前方の領域には、支持体２に引出し前板を固定するための固定装置２５が配置されている。
【００３９】
図３ｂには、図３ａとの関連で前述した装置が示されており、この場合、付加的に、支持体２に保持装置４が固定されていて、すなわち固定装置１６を介して固定されている。保持装置４は、少なくとも引出し背壁５が取り付けられていない状態で、支持体２の長手延在方向６に対して傾斜するように方向付けられている。より詳しく述べるならば、保持装置４は、支持体２の長手延在方向６に対して約８９．５°の角度を有している。
【００４０】
図４には、保持装置４と固定装置１６とが、接合されていない状態で示されている。
【００４１】
固定装置１６は、保持装置４を固定装置１６に接続するための固定装置接合面１７を有しており、この場合、固定装置接合面１７は６つの突起２７を含む。これらの突起は、図示した例では、エンボス加工部として、または絞り加工されたネックとして形成されていてよい。
【００４２】
保持装置４は、支持体２に固定するための保持装置接合面１５を有しており、保持装置接合面１５は６つの開口２６を含む。開口２６の形状は、突起２７の形状に対応している。
【００４３】
保持装置４を、支持体２にもしくは固定装置１６に固定するために、突起２７が開口２６内に導入される。次いで、さらに位置固定が、例えばかしめ、ラジアルかしめまたは接着により行われてよい。
【００４４】
機構的に逆の構成であってもよく、すなわち、突起が保持装置４に、開口が固定装置１６に配置されていてもよいことに留意されたい。
【００４５】
固定装置１６は、鉛直ウェブ３６と、水平ウェブ３７とを有しており、固定装置接合面１７は、鉛直ウェブ３６に配置されている。水平ウェブ３７を介して、固定装置１６は支持体２に固定されている。
【００４６】
保持装置４には、係止接続部の２つの第１の部分１３が配置されていて、これら第１の部分は、これら第１の部分１３と協働する、引出し背壁５に配置された、係止接続部の２つの第２の部分１４と対応関係にある。第１の部分１３は係止ピンを含む。第２の部分１４は、対応する凹部であってよい（図６参照）。
【００４７】
保持装置４はさらに、例えばピンとして形成することができるセンタリング装置２８をさらに有しており、このセンタリング装置は、引出し背壁５を保持装置４に取り付ける過程で、保持装置４に対して相対的に引出し背壁５を位置合わせするために役立つ。センタリング装置２８は、引出し背壁５に配置された、例えば背壁金具３４に設けられた対応する開口３１に係合することができる（図６参照）。
【００４８】
保持装置４はさらに、側壁形材３を支持することができるばねエレメント２９とガイドエレメント３０とを有している。
【００４９】
図５には、図３ｂの装置の一部が、引出し背壁５の領域で示されており、この場合、付加的に側壁形材３が支持体２に配置されている。
【００５０】
保持装置４は、所定の領域で、側壁形材３の内側に配置されている。
【００５１】
さらに、保持装置４は、支持体２に対してだけではなく、側壁形材３に対しても傾斜して方向付けられていることがわかる。これにより、上方の取付個所１２の第１の部分１３は、下方の取付個所１２の第１の部分１３よりも、側壁形材３の当接部８に対して僅かな間隔を有している。
【００５２】
図６には、図５の一部が示されており、この場合、付加的に、引出し背壁５の背壁金具３４が保持装置４に取り付けられている。背壁金具３４は引出し背壁５に堅固に接続されていて、引出し背壁５を表すものとして図６に示されている。
【００５３】
センタリング装置２８は、開口３１に係合している。さらに、拡大部分図ＡおよびＢからわかるように、第１の部分１３は第２の部分１４に係合している。両部分１３および１４はそれぞれ、引出し背壁５を保持装置４に取り付けるための取付個所１２を形成している。
【００５４】
同じく拡大部分図ＡおよびＢからわかるように、引出し背壁５もしくは背壁金具３４は、保持装置４に対して平行に方向付けられている。すなわち、取付個所１２の両部分１３および１４の間隔３３は同じ大きさである。
【００５５】
引出し背壁５もしくは背壁金具３４は、側壁形材３の上側縁に対して、９０°よりも大きい、例えば９０．５°の角度３２を成している。
【００５６】
上方領域１０を示す拡大部分図Ａからわかるように、引出し背壁５は、この領域で当接部８に当接している。これに対して、引出し背壁５は、拡大部分図Ｂに示されている下方領域９では、当接部８に対してギャップ１１により離間されている。理想的にはこのギャップ１１は存在しない。
【図１】
2021512686.tif 000003
【図２ａ】
2021512686.tif 000004
【図２ｂ】
2021512686.tif 000005
【図２ｃ】
2021512686.tif 000006
【図２ｄ】
2021512686.tif 000007
【図３ａ】
2021512686.tif 000008
【図３ｂ】
2021512686.tif 000009
【図４】
2021512686.tif 000010
【図５】
2021512686.tif 000011
【図６】
2021512686.tif 000012
【国際調査報告】
2021512686.tif 000013
2021512686.tif 000014
2021512686.tif 000015
2021512686.tif 000016
2021512686.tif 000017